(57)【要約】      （修正有）【課題】この後背部の患部を掻いたり、軟膏薬を塗付することに使い分けできるよう、後背部掻痒器具に着脱できる装置を施し、剥離した器具と軟膏薬を収納することができる器具を提供する。【解決手段】後背部掻痒器具の湾曲部内面に合致するよう円柱型台木３を作製して、夫々に着脱可能な２面を有する面ファスナーテープ５、４、６、７を接着剤で貼り付けて、後背部掻痒器具に円柱型台木３が着・脱できるようにして、掻く、軟膏薬を塗付できることの関連作業を簡単にできる構造とし、後背部掻痒器具から剥離した円柱型台木の紛失、置忘れを防ぐため後背部掻痒器具把手部に収納袋９を取り付ける軟膏薬塗布素材８を、面ファスナー７の上面に接着し薬剤をその上に塗布して使用する。【選択図】図１
0003158063.tif 000002
【実用新案登録請求の範囲】
【請求項１】
イ  後背部掻痒器具湾曲部内面に着脱可能なＡ、Ｂ２面を有する面ファスナーテープＡ面を接着剤で貼り付ける。
ロ  円柱型台木を掻痒器具湾曲部内面に合致するよう作製し、この合致面に面ファスナーテープＢ面を接着剤で貼り付ける。
ハ  円柱型台木に貼り付けられた面ファスナーテープＢ面以外の面に面ファスナーテープＡ面を接着剤で貼り付ける。
ニ  円柱型台木に貼り付けられた面ファスナーテープＡ面と同じ大きさに面ファスナーテープＢ面と軟膏薬を塗付できる素材を裁断し、両者を接着剤で貼り合せた後  円柱型台木に貼り付けられた面ファスナーテープＡ面に装着する。
必要に応じてこの面ファスナーテープＡ、Ｂ面を装着した円柱型台木を後背部掻痒器具から着脱することにより用途別に使用できることを特徴とし、また円柱型台木に装着した面ファスナーテープＢ面とこれに貼り付けられた軟膏薬塗付素材を円柱型台木から剥離して洗浄ができ衛生面に考慮している。
【請求項２】
後背部掻痒器具から脱した円柱型台木、これに装着した面ファスナーテープＢ面と軟膏薬塗付素材、軟膏薬を収納するために後背部掻痒器具把手部に収納袋を取り付けたことを特徴とする。
以上の請求項１、２からなる着脱式掻痒、軟膏薬塗付器具
【考案の詳細な説明】
【技術分野】
【０００１】この考案は後背部の患部を掻いたり、軟膏薬を塗付することに使い分けできるよう、後背部掻痒器具に着脱できる装置を施し、剥離した器具と軟膏薬を収納することができる器具に関するものである。
【背景技術】
【０００２】従来、後背部の掻痒部について掻く器具は市販されているが、軟膏薬を塗付する器具は関連店頭で見当らない。
【考案の開示】
【考案が解決しょうとする課題】
【０００３】そのため従来、後背部の掻痒部については後背部掻痒器具によりある程度解決されていたが軟膏薬を塗付するには他人の手を煩わしていた。今後高齢化社会が進展するに伴ない１人暮らしの世帯が増加することが予想され夜間他人の手を煩わす問題点、焦躁感を解決する手段として用途が関連する器具を一つに纏めることで、必要度、便利性が向上するものと考案したものである。
【課題を解決するための手段】
【０００４】このことから、後背部掻痒器具の湾曲内面に合致するよう円柱型台木を作製して夫々に着脱可能なＡ、Ｂ２面を有する面ファスナーテープを接着剤で貼り付けて、後背部掻痒器具と円柱型台木が着、脱できるようにして掻く、軟膏薬を塗付できることの関連作業を簡単にできる構造と、後背部掻痒器具から剥離した円柱型台木の紛失、置忘すれを防ぐため後背部掻痒器具把手部に収納袋を取り付けることにしたものである。
１  イ  後背部掻痒器具湾曲部内面に面ファスナーテープＡ面を接着剤で貼り付ける。
ロ  後背部掻痒器具湾曲部内面に合致するよう作製した円柱型台木の合致面に面ファスナーテープＢ面を接着剤で貼り付ける。
ハ  円柱型台木に貼り付けられた面ファスナーテープＢ面以外へ面に面ファスナーテープＡ面と接着剤で貼り付ける。
ニ  円柱型台木に貼り付けられた面ファスナーテープＡ面と同じ大きさに面ファスナーテープＢ面と軟膏薬塗付素材を裁断し両者を接着剤で貼り合せた後円柱型台木に貼り付けられた面ファスナーテープＡ面に装着し、円柱型台木を後背部掻痒器具を装着する。
ホ  後背部掻痒器具に装着した円柱型台木の軟膏薬塗付素材に軟膏薬を塗付し後背部掻痒器具把手を手で持って操作しながら後背部の患部に塗付ができること。
ヘ  後背部掻痒器具固有の掻く作業は、円柱型台木を剥離して実施するが、貼り付けてある面ファスナーテープＡ面は着衣の妨げとならずスムーズに作業が実施できた。
必要に応じ円柱型台木は後背部掻痒器具から簡単に着脱できることを特徴としまた、円柱型台木に装着した面ファスナーテープＢ面、軟膏薬塗付素材も着脱して洗浄ができ衛生面について考慮している。
２  後背部掻痒器具把手部に収納袋を取り付け後背部掻痒器具から剥離した円柱型台木、軟膏薬を収納できることを特徴とする。
【考案の効果】
【０００５】１  後背部掻痒器具湾曲部と円柱型台木に着脱可能なＡ・Ｂ２面を有する面ファスナーテープを夫々に接着して円柱型台木を後背部掻痒器具から着脱することにより、後背部を掻く、軟膏薬を塗付する行為が容易にでき、使用後剥離した円柱型台木は後背部掻痒器具把手部に取り付けられた袋に軟膏薬と共に収納できること。
２  後背部掻痒器具の使用は円柱型台木を剥離して行うが、後背部掻痒器具湾曲部内面に貼り付けられた面ファスナーテープＡ面は着衣の妨げになることなく使用できた。
このことから、円柱型台木、軟膏薬を取り付けられた収納袋に一つに纏めることができ紛失置き忘れもなくなることにより、他人の手を煩わさず１人で掻く、軟膏薬の塗付を行ない得る自立感、満足感が得られた。
【考案を実施するための最良の形態】
【０００６】  以下  本考案の実施の形態について説明する。
後背部掻痒器具の湾曲部内面に合致するよう円柱型台木を作製して、夫々に着脱可能なＡ、Ｂ２面を有する面ファスナーテープを接着剤で貼り付けて、後背部掻痒器具に円柱型台木が着・脱できるようにして、掻く、軟膏薬を塗付できることの関連作業を簡単にできる構造とし、後背部掻痒器具から剥離した円柱型台木の紛失、置忘れを防ぐため後背部掻痒器具把手部に収納袋を取り付けるものである。
１  イ  後背部掻痒器具（１）の湾曲部内面に着脱可能なＡ、Ｂ２面を有する面ファスナーテープＡイ面（４）を接着剤で貼り付ける。
ロ  円柱型台木（３）を後背部掻痒器具（１）の湾曲部内面に合致するよう作製し、この合致面に面ファスナーテープＢイ面（５）を接着剤で貼り付ける。
ハ  円柱型台木（３）に貼り付けられた面ファスナーテープＢイ面（５）以外の円柱型台木（３）の面に面ファスナーテープＡロ面（６）を接着剤で貼り付ける。
ニ  円柱型台木（３）に貼り付けられた面ファスナーテープＡロ面（６）と同じ大きさに面ファスナーテープＢロ面（７）と軟膏薬塗付素材（８）を裁断し、両者を接着剤で貼り合せた後、円柱型台木（３）に貼り付けられた面ファスナーテープＡロ面に装着し、円柱型台木（３）を後背部掻痒器具に装着する。
ホ  後背部掻痒器具（１）に装着した円柱型台木（３）の軟膏薬塗付素材（８）に軟膏薬を塗付し、後背部掻痒器具把手（１０）を手で持って操作しながら後背部の患部に塗付ができること。
ヘ  後背部掻痒器具（１）固有の掻く作業は、円柱型台木（３）を剥離し実施するが、貼り付けてある面ファスナーテープＡイ面（４）は着衣の防げとならずスムーズに作業が実施できた。
必要に応じ円柱型台木（３）は後背部掻痒器具（１）から簡単に着脱できることを特徴とし、また円柱型台木（３）に装着した面ファスナーテープＢロ面（７）、軟膏薬塗付素材（８）も着脱して洗浄ができ衛生面について考慮している。
２  後背部掻痒器具把手部（１０）に収納袋（９）を取り付け後背部掻痒器具（１）から剥離した円柱型台木（３）、軟膏薬を収納できることを特徴とする。
【図面の簡単な説明】
【０００７】
【図１】  本考案の結合図
【図２】  本考案の後背部掻痒器具側面図
【図３】  本考案の円柱型台木斜視図
【符号の説明】
【０００８】  １  後背部掻痒器具
２  後背部掻痒器具爪
３  円柱型台木
４  面ファスナーテープＡイ面
５  面ファスナーテープＢイ面
６  面ファスナーテープＡロ面
７  面ファスナーテープＢロ面
８  軟膏薬塗付素材
９  収納袋
１０  後背部掻痒器具把手
１１  釣紐
【図１】
0003158063.tif 000003
【図２】
0003158063.tif 000004
【図３】
0003158063.tif 000005
【手続補正書】
【提出日】平成21年8月5日(2009.8.5)
【手続補正１】
【補正対象書類名】実用新案登録請求の範囲
【補正対象項目名】全文
【補正方法】変更
【補正の内容】
【実用新案登録請求の範囲】
【請求項１】
後背部掻痒器具の湾曲内面にＡ、Ｂ２面からなる着脱可能な面ファスナーテープのＡイ面を接着剤で貼り付けて、次の構成からなる軟膏薬塗付具を、この面ファスナーテープのＡイ面に取り付けた着脱式後背部掻痒、軟膏薬塗付器具イ  後背部掻痒器具の湾曲内面に合致するよう作製した円柱型台木の合致面に面ファスナーテープのＢイ面を接着剤で貼り付けること。ロ  円柱型台木に貼り付けられた面ファスナーテープのＢイ面以外の円柱型台木の面に面ファスナーテープのＡロ面を接着剤で貼り付けること。ハ  円柱型台木に貼り付けられた面ファスナーテープのＡロ面と同じ大きさに面ファスナーテープのＢロ面と軟膏薬を塗付できる素材を裁断して接着剤で貼り合せ、円柱型台木の面ファスナーテープのＡロ面に着脱可能に装着すること。ニ  円柱型台木の面ファスナーテープのＢイ面を後背部掻痒器具の湾曲内面の面ファスナテープのＡイ面に着脱可能に取り付けること。
【請求項２】
後背部掻痒器具の把手部に着脱可能にした収納袋を装着して、後背部掻痒器具の湾曲内面から脱却した軟膏薬塗付具と軟膏薬を一括収納ができる請求項１の着脱式後背部掻痒、軟膏薬塗付器具
【手続補正２】
【補正対象書類名】明細書
【補正対象項目名】全文
【補正方法】変更
【補正の内容】
【考案の詳細な説明】
【技術分野】
【０００１】  この考案は、後背部掻痒器具と軟膏薬塗付器具を着脱可能にすることにより１つの器具で後背部の患部を掻いたり、軟膏薬を塗付することに使い分けができ、後背部掻痒器具の把手部に後背部掻痒器具から脱却した軟膏薬塗付具と軟膏薬を紛失、置き忘れ防止のために収納袋を装着した着脱式後背部掻痒、軟膏薬塗付器具に関するものである。
【背景技術】
【０００２】  従来、後背部の掻痒患部を掻く器具は市販されているが、軟膏薬を塗付する器具は関連店頭で見られない。
【考案の開示】
【考案が解決しようとする課題】
【０００３】  そのため、従来後背部の掻痒患部については後背部掻痒器具により解決されていたが、軟膏薬を塗付するには他人の手を煩わしていた、今後高齢化社会が進展するに伴ない１人暮らしの世帯が増加するものと予想されるため本考案は後背部の掻痒、軟膏薬の塗付を、後背部掻痒器具と軟膏薬塗付具を着脱可能とすることにより他人の手を煩わすことなく１人で実行解決するために考案したものである。
【課題を解決するための手段】
【０００４】  このことから１  後背部掻痒器具の湾曲内面にＡ、Ｂ２面からなる着脱可能な面ファスナーテープのＡイ面を接着剤で貼り付けて、次の構成からなる軟膏薬塗付具をこの面ファスナーテープのＡイ面に取り付けた着脱式後背部掻痒、軟膏薬塗付器具イ  後背部掻痒器具の湾曲内面に合致するよう作製した円柱型台木の合致面に面ファスナーテープのＢイ面を接着剤で貼り付けること。ロ  円柱型台木に貼り付けられた面ファスナーテープのＢイ面以外の円柱型台木の面に面ファスナーテープのＡロ面を接着剤で貼り付けること。ハ  円柱型台木に貼り付けられた面ファスナーテープのＡロ面と同じ大きさに面ファスナーテープのＢロ面と軟膏薬を塗付できる素材を裁断して接着剤で貼り合せ、円柱型台木の面ファスナーテープのＡロ面に着脱可能に装着すること。ニ  円柱型台木の面ファスナーテープのＢイ面を後背部掻痒器具の湾曲内面の面ファスナーテープのＡイ面に着脱可能に取り付けること２  後背部掻痒器具の把手部に着脱可能にした収納袋を装着して、後背部掻痒器具へ湾曲内面から脱却した軟膏薬塗付具と軟膏薬を一括収納ができる１の着脱式後背部掻痒、軟膏薬塗付器具
【考案の効果】
【０００５】  それにより、次の効果が得られた。１  後背部掻痒器具の湾曲内面に軟膏薬塗付具を装着して他人の手を煩わすことなく後背部掻痒器具の把手部を持って軟膏薬を患部に塗付ができ、後背部掻痒器具の湾曲内面から軟膏薬塗付具を脱却して掻痒患部を掻く際、後背部掻痒器具の湾曲内面の面ファスナーテープのＡイ面は着衣の妨げにならずに作業ができたこと。２  後背部掻痒器具の湾曲内面から脱却した軟膏薬塗付具は、後背部掻痒器具の把手部に装着した収納袋に軟膏薬と一括収めることで粉失、置き忘れ防止となり、軟膏薬塗付具に装着した面ファスナーテープのＢロ面と軟膏薬を塗付できる素材は軟膏薬塗付具から脱却して洗浄ができたこと。  以上のことから自立感、満足感が得られた。
【考案を実施するための最良の形態】
【０００６】  以下本考案の実施の形態について説明する。１  後背部掻痒器具（図２）の湾曲内面（１）にＡ・Ｂ２面からなる着脱可能な面ファスナーテープのＡイ面（４）を接着剤で貼り付けて、次の構成からなる軟膏薬塗付具（図３）をこの面ファスナーテープのＡイ面（４）に取り付けた着脱式後背部掻痒、軟膏薬塗付器具（図１）イ  後背部掻痒器具（図２）の湾曲内面（１）に合致するよう作製した円柱型台木（３）の合致面に面ファスナーテープのＢイ面（５）を接着剤で貼り付けること。ロ  円柱型台木（３）に貼り付けられた面ファスナーテープのＢイ面（５）以外の円柱型台木（３）の面に面ファスナーテープのＡロ面（６）を接着剤で貼り付けること。ハ  円柱型台木（３）に貼り付けられた面ファスナーテープのＡロ面（６）と同じ大きさに面ファスナーテープのＢロ面（７）と軟膏薬を塗付できる素材（８）を裁断して接着剤で貼り合せ、円柱型台木（３）の面ファスナーテープのＡロ面（６）に着脱可能に装着すること。ニ  円柱型台木（３）の面ファスナーテープのＢイ面（５）を後背部掻痒器具の湾曲内面（１）の面ファスナーテープのＡイ面（４）に着脱可能に取り付けること。２  後背部掻痒器具（図２）の把手部（１０）に着脱可能にした収納袋（９）を装着して、後背部掻痒器具（図２）の湾曲内面（１）から脱却した軟膏薬塗付具（図３）と軟膏薬を一括収納ができる１の着脱式後背部掻痒、軟膏薬塗付器具（図１）
【図面の簡単な説明】
【０００７】
【図１】本考案の着脱式後背部掻痒、軟膏薬塗付器具の斜視図
【図２】本考案の後背部掻痒器具の斜視図
【図３】本考案の軟膏薬塗付具の斜視図
【符号の説明】
【０００８】  １  後背部掻痒器具の湾曲内面  ２  後背部掻痒器具の爪  ３  軟膏薬塗付具の円柱型台木  ４  面ファスナーテープのＡイ面  ５  面ファスナーテープのＢイ面  ６  面ファスナーテープＡロ面  ７  面ファスナーテープＢロ面  ８  軟膏薬を塗付できる素材  ９  収納袋１０  後背部掻痒器具の把手部１１  釣紐
【手続補正３】
【補正対象書類名】図面
【補正対象項目名】全図
【補正方法】変更
【補正の内容】
【図１】
0003158063.tif 000006
【図２】
0003158063.tif 000007
【図３】
0003158063.tif 000008
【手続補正書】
【提出日】平成21年12月11日(2009.12.11)
【手続補正１】
【補正対象書類名】実用新案登録請求の範囲
【補正対象項目名】全文
【補正方法】変更
【補正の内容】
【実用新案登録請求の範囲】
【請求項１】
後背部掻痒器具先端に設けられた湾曲部の内面に、着脱が可能なＡ、Ｂ２面からなる面ファスナーテープの裁断したＡ面側の裏面を接着剤で貼り付け、
前記  湾曲部の内面に合致した、円柱台木の円周全面に、前記面ファスナーテープの裁断したＢ面側の裏面を接着剤で貼り付け、前記円柱台木に設けた前記Ｂ面側を前記湾曲部内面の前記Ａ面側に着脱可能に装着し、
裁断した軟膏薬塗付素材裏面と、面ファスナーテープの裁断したＡ面側裏面を接着剤で貼り合せて、軟膏薬塗付具とし、
前記  円柱台木の前記Ｂ面側のうち、前記湾曲部内面の前記Ａ面側と接着していない非接着部に前記軟膏薬塗付具の前記面ファスナーテープのＡ面側を着脱可能に装着することを特徴とする
着脱式後背部掻痒、軟膏薬塗付器具
【請求項２】
前記後背部掻痒器具の前記湾曲部内面から脱却した、前記軟膏薬塗付具および前記円柱台木そして軟膏薬の紛失、置き忘れを防ぐために、前記後背部掻痒器具の把手部に一括収納ができ、かつ着脱ができる収納袋を装着したことを特徴とする
請求項１の着脱式後背部掻痒、軟膏薬塗付器具